(57)【要約】【課題】本体の部品と干渉を生じることなく蓋体を本体に取り付けることが出来る携帯型電子機器を提供する。【解決手段】本発明に係る携帯型電子機器においては、本体１に係合機構と係止機構を介して蓋体２が着脱可能に取り付けられており、係合機構は、本体１の端部に設けられた係合受け部と、蓋体２の端部に設けられた係合部とから構成され、係合受け部に係合部を係合させた状態で該係合部を支点として蓋体２を本体１へ向けて回動させた後、前記係止機構によって本体１に蓋体２を係止する。本体１及び蓋体２の何れか一方には突子６が形成されると共に、本体１及び蓋体２の他方には、ガイド面７が形成され、前記係合部を支点として蓋体２を本体１へ向けて回動させる過程で、突子６がガイド面７に摺接して、蓋体２の係合部が本体１の係合受け部から離脱することが阻止される。【選択図】図５
2010056809.tif 000002
【特許請求の範囲】
【請求項１】
本体(１)に係合機構と係止機構を介して蓋体(２)が着脱可能に取り付けられており、前記係合機構は、本体(１)の端部に設けられた係合受け部と、蓋体(２)の端部に設けられて前記係合受け部に対して係脱可能に係合する係合部とから構成され、前記係合受け部に係合部を係合させた状態で該係合部を支点として蓋体(２)を本体(１)へ向けて回動させた後、前記係止機構によって本体(１)に蓋体(２)を係止することにより、本体(１)に蓋体(２)が取り付けられている携帯型電子機器において、
本体(１)及び蓋体(２)の何れか一方には突子(６)が形成されると共に、本体(１)及び蓋体(２)の他方には、前記突子(６)と対応する位置に、ガイド面(７)が形成され、前記係合受け部に係合部を係合させた状態で該係合部を支点として蓋体(２)を本体(１)へ向けて回動させる過程で、前記突子(６)がガイド面(７)に摺接して、蓋体(２)の係合部が本体(１)の係合受け部から離脱することが阻止されることを特徴とする携帯型電子機器。
【請求項２】
前記蓋体(２)の係合部はフック(20)(20)によって形成され、前記本体(１)の係合受け部は、前記フック(20)(20)の先端部が係脱可能に係合する凹部(10)(10)によって形成されている請求項１に記載の携帯型電子機器。
【請求項３】
前記係止機構は、蓋体(２)に設けられてロック位置とロック解除位置の間で移動可能なロック操作片(24)と、本体(１)に設けられて前記ロック操作片(24)をロック位置にて係止し蓋体(２)を本体(１)にロックすべきロック機構(14)とから構成されている請求項１又は請求項２に記載の携帯型電子機器。
【発明の詳細な説明】
【技術分野】
【０００１】
本発明は、携帯電話機の如く本体に蓋体が着脱可能に取り付けられている携帯型電子機器に関するものである。
【背景技術】
【０００２】
携帯電話機においては、図８及び図９に示す如く、操作キー(３)を具えた本体(８)に対し、電池室を覆うための蓋体(９)が、着脱操作可能に取り付けられている(特許文献１、２参照)。
本体(８)の両側部にはユーザが操作すべきボタン(４)やイヤホンカバー(５)が取り付けられており、蓋体(９)の両側部には、ボタン(４)やイヤホンカバー(５)を収容すべき切り欠き(91)(92)が凹設されている。
【０００３】
本体(８)に蓋体(９)を取り付けるときは、蓋体(９)の端部に突設されているフック(90)を本体(８)の端部(被係合部)に係合させた状態で、該フック(90)を支点として蓋体(９)を本体(８)へ向けて回動させ、蓋体(９)が本体(１)に被さった状態で、図示省略するロック機構によって蓋体(９)を本体(８)にロックする。
【特許文献１】特開２００１−２５１２０７号公報
【特許文献２】特開２００３−３０９６３３号公報
【発明の開示】
【発明が解決しようとする課題】
【０００４】
しかしながら、図８及び図９に示す携帯電話機においては、蓋体(９)の端部に突設されているフック(90)を本体(８)の端部に係合させた状態で、該フック(90)を支点として蓋体(９)を本体(８)へ向けて回動させる過程で、蓋体(９)が図中に鎖線で示す様にフック(90)を本体(８)の被係合部から離脱させる方向に移動することがある。
【０００５】
この場合、蓋体(９)の切り欠き(91)(92)に位置ずれが生じて、図示の如く蓋体(９)がボタン(４)やイヤホンカバー(５)と干渉して、蓋体(９)を本体(８)に取り付ける操作に支障が生じる。
この問題を解決するために、蓋体(９)の切り欠き(91)(92)をボタン(４)やイヤホンカバー(５)の外形よりも大きく開設することが考えられるが、これによって、蓋体(９)を本体(８)に取り付けた状態でボタン(４)やイヤホンカバー(５)の周囲に隙間が生じて、外観が損なわれることになる。
【０００６】
そこで本発明の目的は、本体の部品と干渉を生じることなく蓋体を本体に取り付けることが出来る携帯型電子機器を提供することである。
【課題を解決するための手段】
【０００７】
本発明に係る携帯型電子機器においては、本体(１)に係合機構と係止機構を介して蓋体(２)が着脱可能に取り付けられている。前記係合機構は、本体(１)の端部に設けられた係合受け部と、蓋体(２)の端部に設けられて前記係合受け部に対して係脱可能に係合する係合部とから構成され、前記係合受け部に係合部を係合させた状態で該係合部を支点として蓋体(２)を本体(１)へ向けて回動させた後、前記係止機構によって本体(１)に蓋体(２)を係止することにより、本体(１)に蓋体(２)が取り付けられている。
【０００８】
ここで、本体(１)及び蓋体(２)の何れか一方には突子(６)が形成されると共に、本体(１)及び蓋体(２)の他方には、前記突子(６)と対応する位置に、ガイド面(７)が形成され、前記係合受け部に係合部を係合させた状態で該係合部を支点として蓋体(２)を本体(１)へ向けて回動させる過程で、前記突子(６)がガイド面(７)に摺接して、蓋体(２)の係合部が本体(１)の係合受け部から離脱することが阻止される。
【０００９】
上記本発明の携帯型電子機器によれば、前記係合受け部に係合部を係合させた状態で該係合部を支点として蓋体(２)を本体(１)へ向けて回動させる過程で、前記突子(６)がガイド面(７)に摺接して、蓋体(２)の係合部が本体(１)の係合受け部から離脱することが阻止され、これによって蓋体(２)の回動軌跡が規制されるので、蓋体(２)が本体(１)の部品と干渉することはない。
【００１０】
具体的構成において、前記蓋体(２)の係合部はフック(20)(20)によって形成され、前記本体(１)の係合受け部は、前記フック(20)(20)の先端部が係脱可能に係合する凹部(10)(10)によって形成されている。
該具体的構成によれば、蓋体(２)のフック(20)(20)を本体(１)に凹部(10)(10)に係合させた状態で、蓋体(２)を本体(１)へ向けて回動させることが出来、蓋体(２)が本体(１)に被さった状態で前記係止機構によって蓋体(２)を本体(１)に係止すれば、凹部(10)(10)に対するフック(20)(20)の係合と係止機構による係止によって、蓋体(２)は本体(１)に確実に取り付けられることになる。
【００１１】
他の具体的構成において、前記係止機構は、蓋体(２)に設けられてロック位置とロック解除位置の間で移動可能なロック操作片(24)と、本体(１)に設けられて前記ロック操作片(24)をロック位置にて係止し蓋体(２)を本体(１)にロックすべきロック機構(14)とから構成されている。
該具体的構成によれば、蓋体(２)を本体(１)に被せた状態でロック操作片(24)をロック解除位置からロック位置まで移動させることによって、蓋体(２)を本体(１)にロックすることが出来る。又、ロック操作片(24)をロック位置からロック解除位置まで移動させることによって、本体(１)に対する蓋体(２)をロックを解除することが出来る。
【発明の効果】
【００１２】
本発明に係る携帯型電子機器によれば、本体の部品と干渉を生じることなく蓋体を本体に取り付けることが出来る。
【発明を実施するための最良の形態】
【００１３】
以下、本発明を携帯電話機に実施した形態につき、図面に沿って具体的に説明する。
本発明に係る携帯電話機は、図１及び図２に示す如く、本体(１)の表面に複数の操作キー(３)を具えると共に、本体(１)の両側部にはユーザが操作すべきボタン(４)やイヤホンカバー(５)が配備されている。又、本体(１)の背面には、図４の如く電池(12)を収容する電池室を覆うための蓋体(２)が、着脱操作可能に取り付けられている。
【００１４】
図３及び図４に示す如く、蓋体(２)の端部には、一対のフック(20)(20)が突設される一方、本体(１)の端部には、一対のフック(20)(20)が係脱可能に係合すべき一対の凹部(10)(10)が形成されている。
又、蓋体(２)には、ロック位置とロック解除位置の間で移動可能なロック操作片(24)が配備される一方、本体(１)には、ロック操作片(24)をロック位置にて係止して蓋体(２)を本体(１)にロックすべきロック機構(14)が配備されている。
更に、蓋体(２)には、両側の側板部(21)(21)にボタン(４)やイヤホンカバー(５)を収容すべき切り欠き(22)(23)が凹設されている。
【００１５】
本体(１)の一方の側部(11)には、図４の如く本体(１)の背面に対して傾斜するガイド面(７)が形成されている。又、蓋体(２)の一方の側板部(21)には、本体(１)のガイド面(７)と対応する位置に、図３の如く突子(６)が形成されている。
【００１６】
蓋体(２)のフック(20)(20)を本体(１)の凹部(10)(10)に係合させた状態で図５の如く蓋体(２)を本体(１)へ向けて回動させる過程で、蓋体(２)の突子(６)は本体(１)のガイド面(７)に接近し、蓋体(２)の切り欠き(23)が本体(１)のイヤホンカバー(５)の直前位置に達すると、蓋体(２)の突子(６)が本体(１)のガイド面(７)に摺接する(図６(ａ)(ｂ)参照)。
そして、蓋体(２)を更に回動させると、蓋体(２)が本体(１)に完全に被さるまで、蓋体(２)の突子(６)が本体(１)のガイド面(７)上を摺動する(図７(ａ)(ｂ)参照)。
【００１７】
図６(ｂ)の摺動開始状態から図７(ａ)の摺動途中状態を経て図７(ｂ)の摺動終了状態に達するまでの期間、蓋体(２)が前記フック(20)(20)を凹部(10)(10)から抜き出す方向に移動せんとしても、突子(６)がガイド面(７)によって受け止められ、図５の如く蓋体(２)の回動軌跡が規制される。
従って、蓋体(２)が回動する過程で、図３及び図４に示す蓋体(２)の側板部(21)(21)が本体(１)のボタン(４)やイヤホンカバー(５)と干渉する虞はなく、蓋体(２)が本体(１)に完全に被さった状態では、蓋体(２)の切り欠き(22)(23)に本体(１)のボタン(４)やイヤホンカバー(５)が隙間無く収容される。
【００１８】
蓋体(２)が本体(１)に完全に被さった状態で、図４に示すロック操作片(24)をロック解除位置からロック位置まで移動させれば、該ロック操作片(24)が本体(１)のロック機構(14)によって係止され、これによって蓋体(２)が本体(１)にロックされる。
この状態で、蓋体(２)は、一方の端部においてフック(20)(20)が本体(１)の凹部(10)(10)に係合すると共に、他方の端部においてロック操作片(24)が本体(１)のロック機構(14)によって係止されるので、確実に本体(１)に取り付けられることになる。
その後、ロック操作片(24)をロック位置からロック解除位置まで移動させれば、蓋体(２)のロックを解除して、蓋体(２)を本体(１)から取り外すことが出来る。
【００１９】
上述の如く、本発明に係る携帯電話機によれば、本体(１)のボタン(４)やイヤホンカバー(５)との干渉を生じることなく蓋体(２)を本体(１)に取り付けることが出来る。
又、本体(１)の切り欠き(22)(23)をボタン(４)やイヤホンカバー(５)の外形に合わせて最小限の大きさに開設することが出来るので、蓋体(２)を本体(１)に取り付けた状態でボタン(４)やイヤホンカバー(５)の周囲に隙間が生ずることはなく、良好な外観を保つことが出来る。
【００２０】
尚、本発明の各部構成は上記実施の形態に限らず、特許請求の範囲に記載の技術的範囲内で種々の変形が可能である。又、本発明は携帯電話機に限らず、本体に蓋体が着脱可能に取り付けられている種々の携帯型電子機器に実施することが出来る。
【図面の簡単な説明】
【００２１】
【図１】本発明に係る携帯電話機の斜視図である。
【図２】該携帯電話機を異なる方向から見た斜視図である。
【図３】該携帯電話機の分解斜視図である。
【図４】該携帯電話機を裏返した状態での分解斜視図である。
【図５】本体に対して蓋体を回動させて取り付ける過程を示す側面図である。
【図６】同上の過程の前半における突子とガイド面の位置関係を示す一部拡大側面図である。
【図７】同上の過程の後半における突子とガイド面の位置関係を示す一部拡大側面図である。
【図８】従来の携帯電話機における不具合を示す左側面図である。
【図９】従来の携帯電話機における不具合を示す右側面図である。
【符号の説明】
【００２２】
(１)  本体
(10)  凹部
(２)  蓋体
(20)  フック
(22)  切り欠き
(23)  切り欠き
(３)  操作キー
(４)  ボタン
(５)  イヤホンカバー
(６)  突子
(７)  ガイド面
【図１】
2010056809.tif 000003
【図２】
2010056809.tif 000004
【図３】
2010056809.tif 000005
【図４】
2010056809.tif 000006
【図５】
2010056809.tif 000007
【図６】
2010056809.tif 000008
【図７】
2010056809.tif 000009
【図８】
2010056809.tif 000010
【図９】
2010056809.tif 000011